(57)【要約】【課題】ネスティングの妨げとなることなく、簡単な構造で、卓板の支持強度を高めることができるようにした卓板付き椅子を提供する。【解決手段】卓板６を、座２の前上方においてほぼ水平をなす使用位置と、座２の一側方においてほぼ垂直をなす不使用位置とに移動可能として取り付けた卓板付き椅子において、卓板６を枢支するほぼ前後方向を向く支持軸７を、座２を支持する座支持体１における後部の一側より前上方に向かって延出する支持杆５の前端部に形成し、かつ座支持体１の一側部における前後方向の中間部から上方に延出する補強杆１５の上端をもって、支持杆５の中間部を支承する。【選択図】  図２
2010131148.tif 000002
【特許請求の範囲】
【請求項１】
卓板を、座の前上方においてほぼ水平をなす使用位置と、座の一側方においてほぼ垂直をなす不使用位置とに移動可能として取り付けた卓板付き椅子において、
前記卓板を枢支するほぼ前後方向を向く支持軸を、前記座を支持する座支持体における後部の一側より前上方に向かって延出する支持杆の前端部に形成し、かつ前記座支持体の一側部における前後方向の中間部から上方に延出する補強杆の上端をもって、前記支持杆の中間部を支承したことを特徴とする卓板付き椅子。
【請求項２】
座支持体を、後下方に傾斜する左右１対の後脚と、それらの上部より前方を向く左右１対の水平杆と、それらの前端より前下方に傾斜する左右１対の前脚と、左右の水平杆の中間部同士を連結する左右方向を向く連結杆とを備えるものとし、補強杆の下端部を内方に折曲して形成した取付部を、連結杆の下面に固着した請求項１記載の卓板付き椅子。
【請求項３】
補強杆の下部を、取付部より後方に凹入するように屈曲させた請求項２記載の卓板付き椅子。
【請求項４】
水平杆より上方に突出するいずれか一方の後脚の延長部に、支持杆の基端部を嵌合して固着した請求項２または３記載の卓板付き椅子。
【請求項５】
不使用位置としたときの卓板における補強杆に対向する部分に、補強杆と係合することにより、卓板を不使用位置に保持する保持手段を設けた請求項１〜４のいずれかに記載の卓板付き椅子。
【発明の詳細な説明】
【技術分野】
【０００１】
本発明は、卓板を、座の前上方においてほぼ水平をなす使用位置と、座の一側方においてほぼ垂直をなす不使用位置とに移動可能として取り付けた卓板付き椅子に関する。
【背景技術】
【０００２】
この種の卓板付き椅子には、卓板を枢支するほぼ前後方向を向く支持軸を、座を支持する座支持体における後部の一側より前上方に向かって延出する支持杆の前端部により片持ち支持するようにしたもの(例えば特許文献１参照)や、上記と同様の支持軸を、後端が背フレームに固定され、かつ前端が前脚に沿って垂下する取り付け用フレームにおける水平部により支持するようにしたもの(例えば特許文献２参照)等がある。
【特許文献１】特開２００４−１２９７２１号公報
【特許文献２】特許第２７３８９０７号公報
【発明の開示】
【発明が解決しようとする課題】
【０００３】
特許文献１に記載されているものは、複数の同一の椅子を、前方のものの大部分が後方のものの内部または外部に互いに嵌合し合うようにして前後方向に重ねて収容するネスティングや、上下に積み重ねて収容するスタッキングするのには有利であるが、卓板の支持強度を大とすることが困難で、支持杆を高強度の頑丈なものとしなければ、卓板上に重量物を載置したときに、支持杆が折れ曲がるおそれがある。
【０００４】
特許文献１に記載されているものは、取り付け用フレームにおける水平部の前後の端部が支持されているため、卓板の支持強度を大とすることができるが、取り付け用フレームにおける前端の垂下部分が、ネスティング時の妨げとなり、ネスティングできなくなるという問題がある。
【０００５】
本発明は、従来の技術が有する上記のような問題点に鑑み、ネスティングの妨げとなることなく、簡単な構造で、卓板の支持強度を高めることができるようにした卓板付き椅子を提供することを目的としている。
【課題を解決するための手段】
【０００６】
本発明によると、上記課題は、次のようにして解決される。
(１)  卓板を、座の前上方においてほぼ水平をなす使用位置と、座の一側方においてほぼ垂直をなす不使用位置とに移動可能として取り付けた卓板付き椅子において、前記卓板を枢支するほぼ前後方向を向く支持軸を、前記座を支持する座支持体における後部の一側より前上方に向かって延出する支持杆の前端部に形成し、かつ前記座支持体の一側部における前後方向の中間部から上方に延出する補強杆の上端をもって、前記支持杆の中間部を支承する。
【０００７】
このような構成とすると、支持杆の中間部が、座支持体の一側部の中間部から上方に延出する補強杆の上端をもって支持されるので、ネスティングの妨げとなることなく、卓板の支持強度を高めることができ、卓板上に重量物を載置しても、支持杆が折れ曲がることなく、十分に耐えることができる。
【０００８】
(２)  上記(１)項において、座支持体を、後下方に傾斜する左右１対の後脚と、それらの上部より前方を向く左右１対の水平杆と、それらの前端より前下方に傾斜する左右１対の前脚と、左右の水平杆の中間部同士を連結する左右方向を向く連結杆とを備えるものとし、補強杆の下端部を内方に折曲して形成した取付部を、連結杆の下面に固着する。
【０００９】
このような構成とすると、補強杆の支持強度を高めることができるとともに、座支持体全体、補強杆、および支持杆を、すべて管材により、簡単に形成することができる。
【００１０】
(３)  上記(２)項において、補強杆の下部を、取付部より後方に凹入するように屈曲させる。
【００１１】
このような構成とすると、補強杆の下部における後方への凹入部分に、ネスティング時における前方の椅子の一部が嵌合することができ、ネスティングを可能にすることができるとともに、外観をよくすることができる。
【００１２】
(４)  上記(２)または(３)項において、水平杆より上方に突出するいずれか一方の後脚の延長部に、支持杆の基端部を嵌合して固着する。
【００１３】
このような構成とすると、座支持体への支持杆の取付作業が簡単となる。
【００１４】
(５)  上記(１)〜(４)項のいずれかにおいて、不使用位置としたときの卓板における補強杆に対向する部分に、補強杆と係合することにより、卓板を不使用位置に保持する保持手段を設ける。
なお、ここでの「係合」には、補強杆を弾性把持するもの、および補強杆に磁力により吸着するものを含むものとする。
【００１５】
このような構成とすると、不使用位置に位置している卓板が、振動や他物との衝突等によっても、むやみに移動することがない。
【発明の効果】
【００１６】
本発明によると、ネスティングの妨げとなることなく、簡単な構造で、卓板の支持強度を高めることができるようにした卓板付き椅子を提供することができる。
【発明を実施するための最良の形態】
【００１７】
以下、本発明の一実施形態を、添付図面を参照して説明する。  
図１〜図３に示すように、この卓板付き椅子は、座支持体１の後上部に、座２の後部が、左右方向の軸(図示略)をもって枢着され、座２は、図１〜図３に示すように、前方を向く使用位置と、図１３に示すように、上方を向くはね上げ位置とに回動しうるようになっている。
【００１８】
座支持体１の後上部には、わずかに後傾する左右１対の背凭れ支持杆３、３が立設され、この両背凭れ支持杆３、３をもって、背凭れ４の両側部が支持されている。
【００１９】
座支持体１における後上部の一側より前上方に向かって延出する支持杆５の前端部には、卓板６を枢支する前方を向く支持軸７(図４以後を参照)が設けられ、この支持軸７に装着した枢支機構８により、卓板６は、図１および図３に実線で示すように、座２の前上方においてほぼ水平をなす使用位置と、図１に２点鎖線で(下向きのもの)、かつ図２に実線で示すように、座２の一側方においてほぼ垂直をなす不使用位置とに移動可能となっている。
この例では、管材により形成した支持杆５の前端部をそのまま支持軸７としてあるが、支持軸７を、支持杆５と別体として、その前端部に嵌合固着して形成してもよい。
【００２０】
次に、各部の詳細について説明する。
図５および図６に示すように、座支持体１は、後下方に傾斜する左右１対の後脚９、９と、それらの上部より前方を向く左右１対の水平杆１０、１０と、それらの前端より前下方に傾斜する左右１対の前脚１１、１１と、左右の水平杆１０、１０の中間部同士を連結する左右方向を向く連結杆１２とを備えている。
【００２１】
水平杆１０より上方に突出する左右の後脚９、９の延長部９ａ、９ａの上端内側部には、互いに内方を向く短寸の筒部１３、１３が突設され、その内端部間に、座２の後端部が、左右方向の軸(図示略)をもって枢着され、さらに、左右の筒部１３、１３の上面に、背凭れ支持杆３、３が突設されている。
【００２２】
正面から見て右方の後脚９の延長部９ａの上端は、閉塞部材１４により閉塞され、同じく左方の後脚９の延長部９ａの上端には、支持杆５の基端部が嵌合されて、例えば小ねじ等の固着手段をもって固着されている。
【００２３】
支持杆５は、後脚９の延長部９ａの上端から、後脚９と一直線状に前上方に延出する仰角の大きい基部５ａと、この基部５ａの上端から、基部５ａの仰角より小さい仰角をもって前上方に向かって、または水平に前方に向かって延出する腕部５ｂとを有しており、腕部５ｂの前端部に、支持軸７が一体的に形成されている。
【００２４】
座支持体１における連結杆１２の正面から見て左端部下面には、上方を向く補強杆１５の下端部を内方に折曲して形成した取付部１５ａが、溶接または小ねじ等の固着手段をもって固着されている。
【００２５】
補強杆１５は、取付部１５ａの外端部に起立部１５ｂが連設された正面視Ｌ字状をなし、取付部１５ａの外端部から起立部１５ｂの中間部(この例ではやや上部であるが、少なくとも下部)にかけて、取付部１５ａより後方に凹入する屈曲部１５ｃが形成されている。
【００２６】
補強杆１５の上端は、支持杆５における腕部５ｂの後部(支持杆５の中間部)下面に固着され、支持杆５はこの補強杆１５により支承されている。
【００２７】
このように、支持杆５の中間部が、座支持体１の一側部の中間部から上方に延出する補強杆１５の上端をもって支持されているので、図１３に示すように、複数の同一の椅子をネスティングする際、そのネスティングの妨げとなることなく、卓板６の支持強度を高めることができ、卓板６上に重量物を載置しても、支持杆５が折れ曲がることなく、十分に耐えることができる。
【００２８】
また、座支持体１を上記のような構成とし、補強杆１５の下端の取付部１５ａを、連結杆１２の下面に固着してあるので、補強杆１５の支持強度を高めることができるとともに、座支持体１全体、補強杆１５、および支持杆５を、すべて管材により、簡単に形成することができる。
【００２９】
さらに、補強杆１５の少なくとも下部を、取付部１５ａより後方に凹入するように屈曲させてあるので、補強杆１５の後方への屈曲部１５ｃに、ネスティング時における前方の椅子の一部が嵌合することができ、ネスティングを可能にすることができるとともに、外観をよくすることができる。
【００３０】
次に、枢支機構８の詳細について説明する。
図８に示すように、支持軸７の前端寄りの外周面の一部には、ストッパ１６が固着されている。
このストッパ１６は、屈曲部の内側の縁が、支持軸７の外径と同形の円弧状をなす正面視ほぼＬ字状の前後１対の側片１６ａ、１６ａと、それらの上端同士を連結する水平の上片１６ｂとからなり、前後の側片１６ａ、１６ａにおける屈曲部の内側の縁が、支持軸７の前端寄りの外周面の内側から下側までの四半部に当接され、かつ溶接等により固着されている。
【００３１】
図８および図９に示すように、枢支機構８は、ほぼ上半部を切除した半球状をなす受け部材１７を備えている。
受け部材１７の上面には、ストッパ１６が相対回動自在に嵌合する半円状の大径溝１８と、ストッパ１６の前後の支持軸７が相対回動自在に嵌合する前後１対のＵ字状の小径溝１９、２０とが連続して設けられている。
また、受け部材１７の上面外周縁には、後方の小径溝２０の上方の部分を除いて、起立縁２１が設けられている。
【００３２】
小径溝１９、２０の下端部は、支持軸７の外径と同径の半円弧部１９ａ、２０ａをなし、それより上方の部分は拡幅部１９ｂ、２０ｂをなしている。
前方の小径溝１９の前端は閉塞され、後方の小径溝２０の後端は、受け部材１７の後面に開口している。
また、前方の小径溝１９の拡幅部１９ｂと大径溝１８との境界部には、内端が半円弧部１９ａの上端開口縁に整合する、互いに対向する内向き鍔部２２、２２が設けられている。
【００３３】
前後の小径溝１９、２０における拡幅部１９ｂ、２０ｂには、下端に支持軸７の外径と同径の半円弧状の溝２３が設けられ、かつ高さを拡幅部１９ｂ、２０ｂの深さと同一か、またはそれよりわずかに大とした前後１対の馬の鞍状の押え部材２４、２５が嵌合しうるようになっている。
【００３４】
前後の押え部材２４、２５は、前後方向を向く連結杆２６をもって互いに連結されている。
後方の押え部材２５の後端部上縁には、押え部材２５を小径溝２０の正規の位置に嵌合したとき、受け部材１７における起立縁２１の切欠部２１ａに嵌合して、起立縁２１とともに完全な円筒形の突縁を形成する弧状の起立縁２５ａが設けられている。
【００３５】
受け部材１７の上面における起立縁２１内には、受け部材１７の上面を閉塞する円板状の閉塞板２７が嵌合しうるようになっている。
この閉塞板２７の上面中央には、軸２８が、またその偏心部には、小ねじにより形成したピン２９が、それぞれ上向きに突設されている。
【００３６】
しかして、受け部材１７における大径溝１８にストッパ１６を、また同じく前後の小径溝１９、２０の半円弧部１９ａ、２０ａに、支持軸７におけるストッパ１６より前後の部分を嵌合し、その上方から、前後の押え部材２４、２５を、その下端の溝２３が支持軸７に跨嵌するようにして、それぞれ前後の小径溝１９、２０の拡幅部１９ｂ、２０ｂ内に上方より嵌合し、さらにその上方から、閉塞板２７を、受け部材１７の起立縁２１および押え部材２５の起立縁２５ａ内に嵌合し、締着手段である４個の締付ねじ３０を、受け部材１７の４箇所に設けた上下方向の挿通孔３１を通して、閉塞板２７に設けた４個のねじ孔３２に螺合して締め付けることにより、すなわち、支持軸７と押え部材２４、２５とを、閉塞板２７と受け部材１７とにより上下から挟んで、閉塞板２７と受け部材１７とを、締着手段をもって締着することにより、軸２８が支持軸７と直交する方向を向くようにするとともに、この軸２８に後述するようにして枢着した卓板６の支持軸７回りの回動に抵抗力を付与するようにしてある(図１０参照)。
【００３７】
このとき、前方の押え部材２４が、小径溝１９の後端の内向き鍔部２２の前面に係合することにより、その押え部材２４と、連結杆２６を介してそれに連結された後方の押え部材２５との後方への移動がともに阻止され、押え部材２４は、受け部材１７から後方へ脱落するのが防止される。
それらの前方への移動は、後方の押え部材２５が、ストッパ１６の後面に当接することによって阻止される。
さらに、ストッパ１６が受け部材１７における大径溝１８と後方の小径溝２０との段差面に当接することにより、受け部材１７が支持軸７から前方に脱落するのが阻止される。
【００３８】
図７に示すように、枢支機構８は、上述の受け部材１７、押え部材２４、２５、および閉塞板２７の他に、卓板６の下面にねじ止めされることにより、卓板６を支持するブラケット３３と閉塞板２７との間に配設される回転カラー３４、並びにブラケット３３の上方に配設される押え板３５、および座金３６を備えている。
【００３９】
ブラケット３３には、軸孔３７と、この軸孔３７を中心とする１８０°の範囲に亘る円弧孔３８とが設けられている。
【００４０】
回転カラー３４の上面中央には、閉塞板２７に突設した軸２８に外嵌するとともに、ブラケット３０における軸孔３７に嵌合しうるボス３９が設けられている。
回転カラー３４の外周部には、ピン２９が挿通する挿通孔４０と、ねじ孔３０より上方に突出した締付ねじ３０の上端部と干渉するのを避けるための４個の切欠き４１とが設けられている。
【００４１】
図７および図１０に示すように、回転カラー３４と閉塞板２７との対向面、および押え板３５と座金３６との対向面のいずれか一方(この例では、回転カラー３４と押え板３５)には、複数の(１個でも可)突起４２、４３が突設され、他方の対向面(この例では、閉塞板２７と座金３６)には、突起４２、４３が嵌合する係合孔４４、４５が設けられ、それらの係合により、回転カラー３４と閉塞板２７、および押え板３５と座金３６の相対回転が阻止されるようになっている。
【００４２】
図１０に示すように、突起４２が係合孔４４に嵌合し、軸２８がボス３９に嵌合し、かつピン２９が挿通孔３１に嵌合するようにして、閉塞板２７と回転カラー３４とを重合した状態で、その上に、ブラケット３３を、軸孔３７にボス３９が嵌合し、かつ円弧孔３８にピン２９が嵌合するようにして重合し、次いでその上に、押え板３５を、その中央に設けた軸孔４６に、ボス３９の上端部が嵌合し、かつ外周部に設けた係合孔４７に、ピン２９の上端部が嵌合するようにして重合し、さらにその上に、座金３６を、その係合孔４５に突起４３が嵌合するようにして重合し、座金３６の中央に設けた軸孔４８に上方より挿通した固定ねじ４９を、軸２８の上端中央に設けたねじ孔５０に螺合して締め付けることにより、ブラケット３３と、それに固着した卓板６とは、軸２８を中心として、ピン２９が円弧孔３８内を遊動しうる範囲内において、適度の抵抗力をもって回動しうるようになっている。
【００４３】
図１０に示すように、卓板６が使用位置に位置しているときは、ストッパ１６における上片１６ｂに、閉塞板２７の下面が当接して、卓板６の下向き回動が阻止されるとともに、ピン２９が円弧孔３８の一側端に当接して、卓板６の前方(または後方)への回動が阻止される。
【００４４】
この状態から、卓板６を、支持軸７を中心として、図１に２点鎖線(上向きのもの)で示すはね上げ位置まで上向きに回動させると、図１１に示すように、ストッパ１６における支持軸７の下方を通って外側方を向く両側片１６ａ、１６ａの外端部に、閉塞板２７が当接して、卓板６のはね上げ位置より外側方への回動が阻止される。
【００４５】
この状態から、卓板６を、ほぼ水平となった軸２８を中心として、後方(または前方)へほぼ１８０°回動させると、図２に示す不使用位置に到達し、ピン２９が円弧孔３８の他側端に当接して、卓板６のそれ以上の前方(または後方)への回動が阻止される。
【００４６】
卓板６を不使用位置から使用位置へ移動するには、上記と逆の手順で、不使用位置に位置している卓板６を、後方(または前方)へほぼ１８０°回動させて、一旦はね上げ位置に位置させ、次いで、支持軸７を中心として、ほぼ９０°椅子の内方に倒伏させるだけでよい。
【００４７】
以上から明らかなように、この実施形態においては、前後１対の押え部材２４、２５を連結杆２６をもって連結してあるので、それらを一体として、枢支機構８に組み付けることができ、部品点数を削減できるとともに、組み付け作業を簡略化することができ、製造コストを低減することができる。
しかも、前後１対の押え部材２４、２５を連結杆２６をもって連結することにより、いずれか一方の押え部材２４または２５の前後方向の移動を阻止するだけで、他方の押え部材２５または２４の前後方向の移動をも同時に阻止することができ、その移動を阻止するための構成を簡素化することができる。
【００４８】
また、受け部材１７における支持軸７の先端部が嵌合される方の小径溝１９と大径溝１８との境界部の上部に内向き鍔部２２を設け、この内向き鍔部２２に、小径溝１９に嵌合された押え部材２４が係合し、また前後の押え部材２４、２５を、連結杆２６により連結してあるので、一方の押え部材２４の前後方向の移動を阻止するだけで、他方の押え部材２５の前後方向に移動をも同時に阻止することができる。
【００４９】
さらに、ストッパ１６を上記のような構成とすることにより、１個のストッパ１６により、支持軸７を中心とする卓板６の回動範囲の両端を規制することができ、構造の簡素化に寄与することができ、また、支持軸７と押え部材２４、２５とを、閉塞板２７と受け部材１７とにより上下から挟んで、閉塞板２７と受け部材１７とを、締着手段をもって締着することにより、卓板６の支持軸７回りの回動に適度の抵抗力を付与し、卓板６の操作感をよくすることができるとともに、卓板６が不意に回動するのを防止することができる。
【００５０】
本発明は、上記実施形態のみに限定されるものではなく、幾多の変形した態様での実施が可能である。
例えば、図１４に示すように、卓板６の下面に、卓板６を不使用位置としたとき、補強杆１５を弾性把持することにより、卓板６を不使用位置に保持しうるようにしたＵ字状またはΩ字状のクリップ５１等の保持手段を設けてもよい。
なお、図１４に示す変形例では、支持軸７より垂下する卓板６が、軸２８を中心として、前方から後方に向かって回動することにより、不使用位置に到達し、その不使用位置に到達する際に、クリップ５１が補強杆１５に嵌合して、補強杆１５を弾性把持するものとしてある。
【００５１】
クリップ５１に代えて、卓板６の下面に、卓板６を不使用位置としたとき、磁性体とした補強杆１５に吸着して、卓板６を不使用位置に保持しうるようにした永久磁石(図示略)とした保持手段を設けてもよい。
このような保持手段を設けると、不使用位置に位置している卓板６が、振動や他物との衝突等によっても、むやみに移動することがないようにすることができる。
【００５２】
また、枢支機構８を、他の構造のものとしてもよい。
【図面の簡単な説明】
【００５３】
【図１】本発明の一実施形態である卓板付き椅子における卓板を使用位置としたときの正面図である。
【図２】同じく、卓板を不使用位置としたときの側面図である。
【図３】同じく、卓板を使用位置としたときの平面図である。
【図４】図３のIV−IV線に沿う拡大縦断正面図である。
【図５】座支持体と背凭れ支持杆のみを、斜め右前方より見た斜視図である。
【図６】座支持体と背凭れ支持杆のみを、斜め左前方より見た斜視図である。
【図７】枢支機構の分解斜視図である。
【図８】枢支機構の腰部の拡大分解斜視図である。
【図９】受け部材のみを、図８と異なる斜め後ろの方向から見た斜視図である。
【図１０】卓板を使用位置としたときの枢支機構の中央で縦断した拡大縦断正面図である。
【図１１】同じく、卓板を使用位置としたときの、図１０と同様の拡大縦断正面図である。
【図１２】図４のXII−XII線に沿う縦断側面図である。
【図１３】２個の卓板付き椅子をネスティングしたときの側面図である。
【図１４】変形例の左側部の横断平面図である。
【符号の説明】
【００５４】
１  座支持体
２  座
３  背凭れ支持杆
４  背凭れ
５  支持杆
５ａ基部
５ｂ腕部
６  卓板
７  支持軸
８  枢支機構
９  後脚
９ａ延長部
１０  水平杆
１１  前脚
１２  連結杆
１３  筒部
１４  閉塞部材
１５  補強杆
１５ａ取付部
１５ｂ起立部
１５ｃ屈曲部
１６  ストッパ
１６ａ側片
１６ｂ上片
１７  受け部材
１８  大径溝
１９、２０  小径溝
１９ａ、２０ａ  半円弧部  
１９ｂ、２０ｂ  拡幅部
２１  起立縁
２１ａ切欠部
２２  内向き鍔部
２３  溝
２４、２５  押え部材
２５ａ起立縁
２６  連結杆
２７  閉塞板
２８  軸
２９  ピン
３０  締付ねじ(締着手段)
３１  挿通孔
３２  ねじ孔
３３  ブラケット
３４  回転カラー
３５  押え板
３６  座金
３７  軸孔
３８  円弧孔
３９  ボス
４０  挿通孔
４１  切欠き
４２、４３  突起
４４、４５  係合孔
４６  軸孔
４７  係合孔
４８  軸孔
４９  固定ねじ
５０  ねじ孔
５１  クリップ
【図１】
2010131148.tif 000003
【図２】
2010131148.tif 000004
【図３】
2010131148.tif 000005
【図４】
2010131148.tif 000006
【図５】
2010131148.tif 000007
【図６】
2010131148.tif 000008
【図７】
2010131148.tif 000009
【図８】
2010131148.tif 000010
【図９】
2010131148.tif 000011
【図１０】
2010131148.tif 000012
【図１１】
2010131148.tif 000013
【図１２】
2010131148.tif 000014
【図１３】
2010131148.tif 000015
【図１４】
2010131148.tif 000016